(57)【要約】      （修正有）【課題】コンタクトレンズの計算及び適応を簡単化する方法及び／または眼科デバイスを提供する【解決手段】角膜測定器及び自動屈折計にさらにデータ処理手段を含む目を検眼するための眼科デバイスでコンタクトレンズを測定して選択する方法に関し、目の屈折力及び角膜のトポグラフィーが測定され、検眼すべき目の屈折を記述する屈折データが得られ、目の角膜のトポグラフィーを記述するトポグラフィーデータが得られ、得られた屈折及びトポグラフィーデータによってコンタクトレンズデータが計算され、コンタクトレンズが、デバイスのデータベースから選択される。【選択図】図１
2011036645.tif 000002
【特許請求の範囲】
【請求項１】
角膜測定器及び自動屈折計にさらにデータ処理手段を含んで、目の屈折力及び角膜のトポグラフィーが測定され、検眼すべき目の屈折を記述する屈折データが得られ、前記目の角膜のトポグラフィーを記述するトポグラフィーデータが得られる、前記目を検眼するための眼科デバイスを用いてコンタクトレンズを測定し選択する方法であって、
前記得られた屈折データ及びトポグラフィーデータに基づき、コンタクトレンズデータが計算され、コンタクトレンズが前記デバイスのデータベースから選択されることを特徴とする方法。
【請求項２】
前記計算されたコンタクトレンズデータと前記データベースに含まれるコンタクトレンズデータとの比較が行われることを特徴とする請求項１に記載の方法。
【請求項３】
前記測定データ、前記計算されたコンタクトレンズデータ、及び前記選択されたコンタクトレンズのコンタクトレンズデータが出力されることを特徴とする請求項１または２に記載の方法。
【請求項４】
多様な計算モードでの多数個の計算が行われることを特徴とする請求項１乃至３のいずれか一項に記載の方法。
【請求項５】
コンタクトレンズ適応規則が選択時に考慮されることを特徴とする請求項１乃至４のいずれか一項に記載の方法。
【請求項６】
前記測定データが、前記デバイスによる単一測定によって得られることを特徴とする請求項１乃至５のいずれか一項に記載の方法。
【請求項７】
前記角膜の中心半径の測定値が得られることを特徴とする請求項１乃至６のいずれか一項に記載の方法。
【請求項８】
前記角膜の厚さの測定値が得られることを特徴とする請求項１乃至７のいずれか一項に記載の方法。
【請求項９】
前記角膜直径を超える角膜の測定値が得られることを特徴とする請求項８に記載の方法。
【請求項１０】
前記角膜の円錐角膜が測定され、その測定値が得られることを特徴とする請求項１乃至９のいずれか一項に記載の方法。
【請求項１１】
目の断面が得られ、対応画像データが計算に用いられることを特徴とする請求項１乃至１０のいずれか一項に記載の方法。
【請求項１２】
前記データベースが、多様なコンタクトレンズ製造業者のコンタクトレンズデータ及びコンタクトレンズ適応規則をカバーすることを特徴とする請求項１乃至１１のいずれか一項に記載の方法。
【請求項１３】
コンタクトレンズの材料データが考慮されることを特徴とする請求項１乃至１２のいずれか一項に記載の方法。
【請求項１４】
提案されたコンタクトレンズの入手可能性に関する情報が発行されることを特徴とする請求項１乃至１３のいずれか一項に記載の方法。
【請求項１５】
前記データベースが、デバイス外部のデータベースと調和されることを特徴とする請求項１乃至１４のいずれか一項に記載の方法。
【請求項１６】
請求項１乃至１５のいずれか一項に記載の方法を実施するための眼科デバイスであって、
角膜測定器、自動屈折計、及びデータ処理手段が、前記眼科デバイスの連結ハウジング内に配列されることを特徴とする眼科デバイス。
【発明の詳細な説明】
【技術分野】
【０００１】
本発明は、角膜測定器及び自動屈折計にさらにデータ処理手段を含む目を検眼するための眼科デバイスを用いてコンタクトレンズを測定して選択する方法に関し、目の屈折力及び角膜のトポグラフィーが測定され、検眼すべき目の屈折を記述する屈折データが得られ、目の角膜のトポグラフィーを記述する角膜のトポグラフィーデータが得られる。本発明は、さらに、このような方法を実施するための眼科デバイスに関する。
【０００２】
コンタクトレンズ、より具体的には、ソフトコンタクトレンズを測定して選択するために、コンタクトレンズが適応される目の屈折力及び目の角膜のトポグラフィーを測定する必要がある。このデータに基づいて、製造業者から適合したコンタクトレンズが選択されなければならない。これのために、製造業者が異なる適応規則を規則的に考慮するので、製造業者に応じて異なる、比較的広範囲な計算が必要である。さらに、コンタクトレンズの直径は、角膜の直径に調和されなければならない。製造業者は、その技術的なデータ及び／または寸法の見地から、極めて異なる一連のコンタクトレンズを提供するので、全ての測定された測定値がカバーされるのではなく、コンタクトレンズを選択するためには反復的な手続きが必要である。これは、検眼人による適合したコンタクトレンズの計算及び事前選択の後、一連のコンタクトレンズが患者に適応され、これにより、適合したコンタクトレンズが患者の主観的な視覚的印象に基づき選択されることを意味する。ここで、特定の欠点は、検眼人がコンタクトレンズの計算及び／または選択に比較的良好に訓練されていなければならず、適合したコンタクトレンズを計算して選択するプロセスが比較的多くの時間を要するということである。
【発明の概要】
【０００３】
本発明は、上記問題点に鑑みなされたものであり、その目的は、コンタクトレンズの計算及び適応を簡単化する方法及び／または眼科デバイスを提供することにある。
【０００４】
本発明の上記目的は、請求項１による特徴を有する方法及び請求項１６による特徴を有する眼科デバイスによって達成される。
【０００５】
角膜測定器及び自動屈折計にさらにデータ処理手段を含む目を検眼するための眼科デバイスでコンタクトレンズを測定して選択するための本発明による方法において、目の屈折力及び角膜のトポグラフィーが測定され、検眼すべき目の屈折を記述する屈折データが得られ、角膜のトポグラフィーを記述する角膜のトポグラフィーデータが得られ、得られた屈折データ及びトポグラフィーデータによって、コンタクトレンズデータが計算され、コンタクトレンズがデバイスのデータベースから選択される。
【０００６】
これは、眼科デバイスがコンタクトレンズの計算を行い、コンタクトレンズデータを有するデータベースから適合したコンタクトレンズを選択する長所を達成する。この方式において、適合したコンタクトレンズが比較的精密に測定され得るので、検眼人による複雑な計算のみならず、多様なコンタクトレンズを患者につける面倒な一連の試験が不要になる。
【０００７】
計算されたコンタクトレンズデータとデータベースに保存されたコンタクトレンズデータとの比較が有利に行われ得る。したがって、対象測定データから、要求の指定されたコンタクトレンズデータが計算され、このデータによって指定されたコンタクトレンズに対して最適のものと示される実際のコンタクトレンズが、デバイス内に存在するデータベースから選択される。適合性のための一基準は、計算されたコンタクトレンズデータとデータベース内に含まれたコンタクトレンズデータとの最大合致性であってもよい。
【０００８】
上記した方法の実施例の一形態において、計算されたコンタクトレンズデータの測定データと、選択されたコンタクトレンズのコンタクトレンズデータが出力されてもよい。これは、例えば、画面上の表示の形態であっても、または患者のファイルに追加可能な印刷物の形態であってもよい。次に、検眼人は、デバイスによって行われた選択の妥当性を試験することができる。
【０００９】
さらに、多様な計算モードで多数個の計算を行うことが考慮されてもよい。これは、得られたデータが、それぞれ相違した計算モードに基づく多数個の計算が実施されたものであってもよいことを意味する。使用される計算モードは、コンタクトレンズの製造業者によって用いられる計算モードまたはコンタクトレンズの適応規則に適応させてよく、あるいは類似させてもよい。この方式において、コンタクトレンズデータを表示するときに、所定の製造業者に特有の偏差が計算の際に考慮されてもよい。
【００１０】
さらに具体的には、多様な製造業者のコンタクトレンズに対する適応規則が考慮されてもよい。
【００１１】
コンタクトレンズの適応規則は、さらにコンタクトレンズを選択するときに考慮されてもよい。これは、以降の計算のために、コンタクトレンズ製造業者の多様なコンタクトレンズ適応規則が、必要であれば適切なコンタクトレンズを選択するために追加的に使用されてもよいことを意味する。
【００１２】
測定データは、デバイスによる単一の測定で有利に得られる。単一測定によって、例えば、球、シリンダ、軸、角膜または眼球全体の屈折力のような当該目に関する全ての必要な生理学的データが得られる。したがって、一つの目に対して、自動屈折計とトポグラフィーシステムを用いて２つの連続的な測定を行う必要はもはやない。これにより、選択プロセスをさらに加速化し、測定条件の変化による測定結果のどのような歪みも除去される。
さらに、角膜の中心半径から測定データを得ることが考慮されてもよい。この測定は、角膜測定器で行われることが好ましい。
【００１３】
角膜の直径の測定データが得られると特に有利である。いわゆる、「ホワイトトゥーホワイト」測定が、虹彩の外径により本質的に決定される角膜直径の測定をカバーする。角膜直径の測定は、ソフトコンタクトレンズまたはその直径の選択のためだけでなく、角膜上のコンタクトレンズ位置の検査のために特に重要である。
【００１４】
角膜直径を超過する角膜に関する測定データも得られてもよい。これは、虹彩の領域での角膜の中心半径が測定されるだけでなく、虹彩を超えて拡大された角膜の領域での曲げ半径または角膜トポグラフィーも測定されることを意味する。したがって、角膜測定器は、全体の角膜が測定され、及び／または対応するトポグラフィーデータが得られるように設計されてもよい。
【００１５】
また、測定法は、角膜の円錐角膜を測定し、その測定値を得るのに用いられてもよい。円錐角膜は、一般に角膜上に中心を置いて形成されていないので、コンタクトレンズを選択するための測定値を得るためだけに設計されたトポグラフィーシステムによる測定は可能でないか、あるいは制限された程度のみに可能である。例えば、単一の環形照明源を有する角膜測定器を用いることにより、角膜上にすでに形成されている円錐角膜が検出され得る。円錐角膜の検出は、例えばハードコンタクトレンズが円錐角膜を有利に平坦化することができるので、何よりもハードコンタクトレンズの選択に導かれ得る。
【００１６】
眼科デバイスによって、目の断面も得られ、これにより、断面からの画像データがコンタクトレンズデータを計算するのに用いられてもよい。断面画像により、角膜の厚さにさらに角膜の曲げ半径も測定し得る。さらに、シャインプルーフ配列（Scheimpflug arrangement）のスリット照明及びカメラによって生成され得る断面画像は、円錐角膜及び円錐角膜の領域における減少した角膜の厚さを測定するのに特に適合する。
【００１７】
データベースは、相違したコンタクトレンズ製造業者のコンタクトレンズデータ及びコンタクトレンズ適応規則を有利に含んでもよい。したがって、患者のために特に良好に合わせられたコンタクトレンズを選択することが可能である。
【００１８】
また、選択中、コンタクトレンズの材料データが考慮され、及び／またはデータベースに含まれてもよい。上述したデータに加えて、例えば、コンタクトレンズ材料の空気透過度及び他の材料データのようなソフトコンタクトレンズに関する他のデータが考慮されてもよい。
【００１９】
提案されたコンタクトレンズの入手可能性に関する情報が発行されれば特に好ましい。コンタクトレンズは、多様なサイズ及び／または視力のものが入手可能である。当該のコンタクトレンズの在庫及び配達時間などの任意の詳細が、コンタクトレンズ選択の一部になることもある。したがって、生理学的観点から最適のコンタクトレンズであることに加え、選択判断は、その入手可能性に基づいて行われることもある。
【００２０】
したがって、データベースがデバイス外部のデータベースと調和されていれば有利である。データは、例えばＰＣ上に予め構成され、眼科デバイスに伝達されてもよい。この方式で、コンタクトレンズの現在の範囲を考慮することが可能である。伝達は、ＷＬＡＮを経由して行われてもよい。しかし、インターネットを経由してデバイス自体から製造業者のデータベースへの直接接続を設定することも考えられる。
【００２１】
本発明による方法を実施するための本発明による眼科デバイスにおいて、角膜測定器、自動屈折計、及びデータ処理手段は、眼科デバイスの連結ハウジング内に配列される。
この方式で、これ以上、多数個のデバイスをさらに接続する必要がない。
【００２２】
眼科デバイスの実施例の他の有利な形態は、方法請求項１を引用する従属請求項の特徴の説明に記述されている。
【００２３】
以下、添付図面を参照して本発明を説明する。
【００２４】
測定された測定値及び選択されたコンタクトレンズは、例えばデバイス自体によって発行された図１に示すような印刷物の形態で図示され得る。本例からわかるように、対象の測定に加え、コンタクトレンズがデータベースから選択される根拠に基づいて、必要なコンタクトレンズの詳細が示される。選択されたコンタクトレンズと関連して、入手可能な屈折力等級及び計算されたコンタクトレンズ直径に関するさらなる情報が発行される。
【図面の簡単な説明】
【００２５】
【図１】デバイス自体により発行された印刷物の形態で図示された、測定された測定値及び選択されたコンタクトレンズの例を示す図である。
【図１】
2011036645.tif 000003
【外国語明細書】
2011036645000001.pdf